【手続補正書】
【提出日】平成21年2月26日(2009.2.26)
【手続補正１】
【補正対象書類名】特許請求の範囲
【補正対象項目名】全文
【補正方法】変更
【補正の内容】
【特許請求の範囲】
【請求項１】
可塑化されたポリ（ビニルブチラール）を含む第１ポリマーシート；
可塑化されたポリ（ビニルブチラール）を含む第２ポリマーシート、ここで前記第２ポリマーシートの前記可塑化ポリ（ビニルブチラール）における可塑剤の量は、前記第１ポリマーシートの前記可塑化ポリ（ビニルブチラール）における可塑剤の量より、１００部当たり少なくとも１０部多く、前記第２ポリマーシートが、前記第１ポリマーシートの１重量％当たり残留ヒドロキシル含有量より少なくとも２％少ない、１重量％当たり残留ヒドロキシル含有量を有し、前記第１ポリマーシートと第２ポリマーシートは互いに直接接触しており、前記第１ポリマーシートおよび前記第２ポリマーシートは、それぞれ５ｍｏｌ％未満の残留アセテート含有量を有する；および
前記第２ポリマーシートと直接接触して配置された第３ポリマーシート、ここで前記第３ポリマーシートは可塑化されたポリ（ビニルブチラール）を含み、前記第２ポリマーシートの前記可塑化ポリ（ビニルブチラール）における可塑剤の量は、前記第３ポリマーシートの前記可塑化ポリ（ビニルブチラール）における可塑剤の量より、１００部当たり少なくとも１０部多い、
を含む、ポリマー中間層。
【請求項２】
前記第２ポリマーシートの前記可塑化ポリ（ビニルブチラール）における可塑剤の量が、前記第１ポリマーシートの前記可塑化ポリ（ビニルブチラール）における可塑剤の量より、１００部当たり少なくとも１５部多い、請求項１に記載のポリマー中間層。
【請求項３】
前記第１ポリマーシートの引張り破壊応力が、１平方センチメートル当たり１６５キログラムを超え、前記第２ポリマーシートの引張り破壊応力が１平方センチメートル当たり１５０キログラム未満である、請求項１に記載のポリマー中間層。
【請求項４】
前記第１ポリマーシートの引張り破壊応力が、１平方センチメートル当たり１８０キログラムを超え、前記第２ポリマーシートの引張り破壊応力が１平方センチメートル当たり１６５キログラム未満である、請求項１に記載のポリマー中間層。
【請求項５】
前記第２ポリマーシートが、前記第１ポリマーシートの１重量％当たり残留ヒドロキシル含有量より少なくとも４％少ない、１重量％当たり残留ヒドロキシル含有量を有する、請求項１に記載のポリマー中間層。
【請求項６】
前記第２ポリマーシートが、前記第１ポリマーシートの１重量％当たり残留ヒドロキシル含有量より少なくとも８％少ない、１重量％当たり残留ヒドロキシル含有量を有する、請求項１に記載のポリマー中間層。
【請求項７】
前記第２ポリマーシートが、１７．０％未満の１重量％当たり残留ヒドロキシル含有量を有し、前記第１ポリマーシートが、２０％未満の１重量％当たり残留ヒドロキシル含有量を有する、請求項１に記載のポリマー中間層。
【請求項８】
前記第１ポリマーシートおよび前記第２ポリマーシートが、それぞれ３ｍｏｌ％未満の残留アセテート含有量を有する、請求項１に記載のポリマー中間層。
【請求項９】
前記第１ポリマーシートおよび前記第２ポリマーシートが、それぞれ１ｍｏｌ％未満の残留アセテート含有量を有する、請求項１に記載のポリマー中間層。
【請求項１０】
２層のガラスと、その間にポリマー中間層を配置して含む多層ガラスパネルであって、ここで前記ポリマー中間層は、
可塑化されたポリ（ビニルブチラール）を含む第１ポリマーシート；
可塑化されたポリ（ビニルブチラール）を含む第２ポリマーシート、ここで前記第２ポリマーシートの前記可塑化ポリ（ビニルブチラール）における可塑剤の量は、前記第１ポリマーシートの前記可塑化ポリ（ビニルブチラール）における可塑剤の量より、１００部当たり少なくとも１０部多く、前記第２ポリマーシートが、前記第１ポリマーシートの１重量％当たり残留ヒドロキシル含有量より少なくとも２％少ない、１重量％当たり残留ヒドロキシル含有量を有し、前記第１ポリマーシートと第２ポリマーシートは互いに直接接触しており、前記第１ポリマーシートおよび前記第２ポリマーシートは、それぞれ５ｍｏｌ％未満の残留アセテート含有量を有する；および
前記第２ポリマーシートと直接接触して配置された第３ポリマーシート、ここで前記第３ポリマーシートは可塑化されたポリ（ビニルブチラール）を含み、前記第２ポリマーシートの前記可塑化ポリ（ビニルブチラール）における可塑剤の量は、前記第３ポリマーシートの前記可塑化ポリ（ビニルブチラール）における可塑剤の量より、１００部当たり少なくとも１０部多い、
を含む、前記多層ガラスパネル。
【請求項１１】
２５重量％未満の残留ヒドロキシル含有量を有する可塑化されたポリ（ビニルブチラール）を含む第１ポリマーシート；
２３重量％未満の残留ヒドロキシル含有量を有する可塑化されたポリ（ビニルブチラール）を含む第２ポリマーシート、ここで前記第２ポリマーシートの前記可塑化ポリ（ビニルブチラール）における可塑剤の量は、前記第１ポリマーシートの前記可塑化ポリ（ビニルブチラール）における可塑剤の量より、１００部当たり少なくとも１０部多く、前記第１ポリマーシートと第２ポリマーシートは互いに直接接触しており、前記第１ポリマーシートが、前記第２ポリマーシートより少なくとも２％多い残留ヒドロキシル含有量を有し、前記第１ポリマーシートおよび前記第２ポリマーシートは、それぞれ５ｍｏｌ％未満の残留アセテート含有量を有する；および
前記第２ポリマーシートと直接接触して配置された第３ポリマーシート、ここで前記第３ポリマーシートは可塑化されたポリ（ビニルブチラール）を含み、前記第２ポリマーシートの前記可塑化ポリ（ビニルブチラール）における可塑剤の量は、前記第３ポリマーシートの前記可塑化ポリ（ビニルブチラール）における可塑剤の量より、１００部当たり少なくとも１０部多い、
を含む、ポリマー中間層。
【請求項１２】
前記第２ポリマーシートの前記可塑化ポリ（ビニルブチラール）における可塑剤の量が、前記第１ポリマーシートの前記可塑化ポリ（ビニルブチラール）における可塑剤の量より、１００部当たり少なくとも１５部多い、請求項１１に記載のポリマー中間層。
【請求項１３】
前記第１ポリマーシートの引張り破壊応力が、１平方センチメートル当たり１６５キログラムを超え、前記第２ポリマーシートの引張り破壊応力が１平方センチメートル当たり１５０キログラム未満である、請求項１１に記載のポリマー中間層。
【請求項１４】
前記第１ポリマーシートの引張り破壊応力が、１平方センチメートル当たり１８０キログラムを超え、前記第２ポリマーシートの引張り破壊応力が１平方センチメートル当たり１６５キログラム未満である、請求項１１記載のポリマー中間層。
【請求項１５】
前記第２ポリマーシートが、前記第１ポリマーシートの１重量％当たり残留ヒドロキシル含有量より少なくとも４％少ない、１重量％当たり残留ヒドロキシル含有量を有する、請求項１１に記載のポリマー中間層。
【請求項１６】
前記第２ポリマーシートが、前記第１ポリマーシートの１重量％当たり残留ヒドロキシル含有量より少なくとも８％少ない、１重量％当たり残留ヒドロキシル含有量を有する、請求項１１に記載のポリマー中間層。
【請求項１７】
前記第２ポリマーシートが、前記第１ポリマーシートの１重量％当たり残留ヒドロキシル含有量より少なくとも１７％少ない、１重量％当たり残留ヒドロキシル含有量を有する、請求項１１に記載のポリマー中間層。
【請求項１８】
前記第２ポリマーシートが、１７．０％未満の１重量％当たり残留ヒドロキシル含有量を有し、前記第１ポリマーシートが、２０％未満の１重量％当たり残留ヒドロキシル含有量を有する、請求項１１に記載のポリマー中間層。
【請求項１９】
可塑化されたポリ（ビニルブチラール）を含む第１層；
可塑化されたポリ（ビニルブチラール）を含む第２層、ここで前記第２層における可塑剤の量は、前記第１層における可塑剤の量より、１００部当たり少なくとも１０部多く、前記第２層が、前記第１層の１重量％当たり残留ヒドロキシル含有量より少なくとも２％少ない、１重量％当たり残留ヒドロキシル含有量を有し、前記第１層と第２層は互いに直接接触しており、前記第１層および前記第２層は、それぞれ５ｍｏｌ％未満の残留アセテート含有量を有する；および
前記第２ポリマー層と直接接触して配置された第３ポリマー層、ここで前記第３ポリマー層は可塑化されたポリ（ビニルブチラール）を含み、前記第２ポリマー層の前記可塑化ポリ（ビニルブチラール）における可塑剤の量は、前記第３ポリマー層の前記可塑化ポリ（ビニルブチラール）における可塑剤の量より、１００部当たり少なくとも１０部多い、
を含む、共押出されたポリマー中間層。
【請求項２０】
前記第２ポリマー層の前記可塑化ポリ（ビニルブチラール）における可塑剤の量は、前記第１ポリマー層の前記可塑化ポリ（ビニルブチラール）における可塑剤の量より、１００部当たり少なくとも１５部多い、請求項１９に記載の共押出されたポリマー中間層。
【請求項２１】
前記第１ポリマー層の引張り破壊応力が、１平方センチメートル当たり１６５キログラムを超え、前記第２ポリマー層の引張り破壊応力が１平方センチメートル当たり１５０キログラム未満である、請求項１９に記載の共押出されたポリマー中間層。
【請求項２２】
前記第１ポリマー層の引張り破壊応力が、１平方センチメートル当たり１８０キログラムを超え、前記第２ポリマー層の引張り破壊応力が１平方センチメートル当たり１６５キログラム未満である、請求項１９に記載の共押出されたポリマー中間層。
【請求項２３】
前記第２ポリマー層が、前記第１ポリマー層の１重量％当たり残留ヒドロキシル含有量より少なくとも４％少ない、１重量％当たり残留ヒドロキシル含有量を有する、請求項２２に記載の共押出されたポリマー中間層。
【請求項２４】
前記第２ポリマー層が、前記第１ポリマー層の１重量％当たり残留ヒドロキシル含有量より少なくとも８％少ない、１重量％当たり残留ヒドロキシル含有量を有する、請求項１９に記載の共押出されたポリマー中間層。
【請求項２５】
前記第２ポリマー層が、１７．０％未満の１重量％当たり残留ヒドロキシル含有量を有し、前記第１ポリマー層が、２０％未満の１重量％当たり残留ヒドロキシル含有量を有する、請求項１９に記載の共押出されたポリマー中間層。
【請求項２６】
前記第１ポリマー層および前記第２ポリマー層は、それぞれ３ｍｏｌ％未満の残留アセテート含有量を有する、請求項１９に記載の共押出されたポリマー中間層。
【請求項２７】
前記第１ポリマー層および前記第２ポリマー層は、それぞれ１ｍｏｌ％未満の残留アセテート含有量を有する、請求項１９に記載の共押出されたポリマー中間層。
【請求項２８】
前記第２ポリマーシートの前記可塑化ポリ（ビニルブチラール）における可塑剤の量が、前記第１ポリマーシートの前記可塑化ポリ（ビニルブチラール）における可塑剤の量より、１００部当たり少なくとも１５部多い、請求項１０に記載のガラスパネル。
【請求項２９】
前記第１ポリマーシートの引張り破壊応力が、１平方センチメートル当たり１６５キログラムを超え、前記第２ポリマーシートの引張り破壊応力が１平方センチメートル当たり１５０キログラム未満である、請求項１０に記載のガラスパネル。
【請求項３０】
前記第１ポリマーシートの引張り破壊応力が、１平方センチメートル当たり１８０キログラムを超え、前記第２ポリマーシートの引張り破壊応力が１平方センチメートル当たり１６５キログラム未満である、請求項１０に記載のガラスパネル。
【請求項３１】
前記第２ポリマーシートが、前記第１ポリマーシートの１重量％当たり残留ヒドロキシル含有量より少なくとも４％少ない、１重量％当たり残留ヒドロキシル含有量を有する、請求項１０に記載のガラスパネル。
【請求項３２】
前記第２ポリマーシートが、前記第１ポリマーシートの１重量％当たり残留ヒドロキシル含有量より少なくとも８％少ない、１重量％当たり残留ヒドロキシル含有量を有する、請求項１０に記載のガラスパネル。
【請求項３３】
前記第２ポリマーシートが、１７％未満の１重量％当たり残留ヒドロキシル含有量を有し、前記第１ポリマーシートが、１重量％当たり２０％未満の残留ヒドロキシル含有量を有する、請求項１０に記載のガラスパネル。
【請求項３４】
前記第２ポリマーシートと接触して配置された第３ポリマーシートをさらに含み、前記第３ポリマーシートは前記第１ポリマーシートと同一の特性を有する、請求項１０に記載のガラスパネル。
【請求項３５】
前記第１ポリマーシートおよび前記第２ポリマーシートは、それぞれ３ｍｏｌ％未満の残留アセテート含有量を有する、請求項１０に記載のガラスパネル。
【請求項３６】
前記第１ポリマーシートおよび前記第２ポリマーシートは、それぞれ１ｍｏｌ％未満の残留アセテート含有量を有する、請求項１０に記載のガラスパネル。